(57)【要約】  【目的】  ディジタル・スチル・カメラ１の上下ボタンを利用して指令を与えるのに適したメニューをカメラ１の液晶ビューワ６に表示する。  【構成】  プリンタと通信可能なディジタル・スチル・カメラ１において，カメラ１に設けられている入力ディバイスの種類として上下ボタンを示すデータがプリンタに送信される。プリンタにおいて，上下ボタンをもつカメラに適したメニュー・コンテンツが見つけられる。見つけられたメニュー・コンテンツがプリンタからディジタル・スチル・カメラ１に送信される。カメラ１の液晶ビューワ６にメニュー６Ａ，６Ｂ，６Ｃ，６Ｄが表示される。これらのメニューには，上下ボタンを用いて指令をカメラ１に与えることができるように領域71，72，73等は縦方向に一列に並んでいる。上下ボタンを利用して指令を入力しやすいメニューがカメラ１の液晶ビューワ６に表示される。  【選択図】  図９
2005316625.tif 000002
【特許請求の範囲】
【請求項１】
互いに通信可能な携帯型電子装置と画像サーバとを含む画像データ通信システムにおいて，
上記携帯型電子装置が，
上記画像サーバから送信される入力用画像データによって表される入力用画像を表示する表示装置，
上記表示装置の表示画面に表示される入力用画像にもとづいて，上記携帯型電子装置に指令を与える入力装置，および
上記入力装置の種類を表す種類データを上記画像サーバに送信する種類データ送信手段を備え，
上記画像サーバが，
上記携帯型電子装置の上記種類データ送信手段から送信された種類データにもとづいて，上記携帯型電子装置の上記表示装置の表示画面への表示に適した入力用画像を検出する検出手段，および
上記検出手段により検出された入力用画像を表す入力用画像データを上記携帯型電子装置に送信する入力用画像データ送信手段を備えた，
画像データ通信システム。
【請求項２】
上記検出手段によって検出された入力用画像を表す入力用画像データを生成する入力用画像データ生成手段をさらに備え，
上記入力用画像データ送信手段が，
上記入力用画像データ生成手段によって生成された入力用画像データを上記携帯型電子装置に送信するものである，
請求項１に記載の画像データ通信システム。
【請求項３】
上記画像サーバが，
上記携帯型電子装置の入力装置の種類に応じた複数の入力用画像を表す入力用画像データを記憶する入力用画像データ記憶装置，および
上記入力用画像データ記憶装置に記憶されている入力用画像データのうち，上記検出手段によって検出された入力用画像に対応する入力用画像データを見つける検索手段をさらに備え，
上記入力用画像データ送信手段が，
上記検索手段によって見つけられた入力用画像データを上記携帯型電子装置に送信するものである，
請求項１に記載の画像データ通信システム。
【請求項４】
画像サーバから送信される入力用画像データによって表される入力用画像を表示する表示装置，
上記表示装置の表示画面に表示される入力用画像にもとづいて，携帯型電子装置に指令を与える入力装置，および
上記入力装置の種類を表す種類データを上記画像サーバに送信する種類データ送信手段，
を備えた携帯型電子装置。
【請求項５】
携帯型電子装置から送信され，上記携帯型電子装置の入力装置の種類を表す種類データにもとづいて，上記携帯型電子装置の表示装置の表示画面への表示に適した入力用画像を検出する検出手段，および
上記検出手段により検出された入力用画像を表す入力用画像データを上記携帯型電子装置に送信する入力用画像データ送信手段，
を備えた画像サーバ。
【請求項６】
入力用画像を表示する表示装置および上記表示装置の表示画面に表示される入力用画像にもとづいて携帯型電子装置に指令を与える入力装置を備えた携帯型電子装置において，
上記入力装置の種類を表す種類データを上記画像サーバに送信し，
上記種類データの送信に応じて，上記画像サーバから送信され，上記入力装置に適した入力用画像を表す入力用画像データを受信し，
受信した入力用画像データによって表される入力用画像を上記表示画面に表示する，
携帯型電子装置の制御方法。
【請求項７】
携帯型電子装置から送信され，上記携帯型電子装置の入力装置の種類を表す種類データにもとづいて，上記携帯型電子装置の表示装置の表示画面への表示に適した入力用画像を検出し，
検出された入力用画像を表す入力用画像データを上記携帯型電子装置に送信する，
画像サーバの制御方法。
【発明の詳細な説明】
【技術分野】
【０００１】
この発明は，画像データ通信システムならびに画像サーバおよび携帯型電子装置ならびにそれらの制御方法に関する。
【背景技術】
【０００２】
クライアント・サーバ・モデルのように，クライアント・コンピュータとサーバ・コンピュータとの間で通信するシステムにおいて，通信相手の装置をコントロールする場合にはその通信相手の装置からメニューを表す画像データを得，その得られた画像データによって表されるメニューを用いて通信相手の装置をコントロールするものがある（特許文献１）。
【特許文献１】特開平11−39120号公報
【０００３】
しかしながら，通信システムを構成する装置は必ずしもパーソナル・コンピュータなどのようにキーボード，マウスなどの十分な入力装置を備えたものとは限らない。上下または左右にカーソルを動かすような貧弱な入力装置をもつにすぎない通信装置もある。
【発明の開示】
【０００４】
この発明は，通信相手の入力装置に適した入力用画像を，その通信相手に送信することを目的とする。
【０００５】
この発明は，互いに通信可能な携帯型電子装置と画像サーバとを含む画像データ通信システムについてのものである。
【０００６】
上記携帯型電子装置は，上記画像サーバから送信される入力用画像データによって表される入力用画像を表示する表示装置，上記表示装置の表示画面に表示される入力用画像にもとづいて，上記携帯型電子装置に指令を与える入力装置，および上記入力装置の種類を表す種類データを上記画像サーバに送信する種類データ送信手段を備えている。
【０００７】
上記画像サーバは，上記携帯型電子装置の上記種類データ送信手段から送信された種類データにもとづいて，上記携帯型電子装置の上記表示装置の表示画面への表示に適した入力用画像を検出する検出手段，および上記検出手段により検出された入力用画像を表す入力用画像データを上記携帯型電子装置に送信する入力用画像データ送信手段を備えている。
【０００８】
この発明によると，携帯型電子装置には表示装置および携帯型電子装置に指令を与えるための入力装置が設けられている。携帯型電子装置から画像サーバに，入力装置の種類を表す種類データが送信される。
【０００９】
携帯型電子装置から送信された種類データが画像サーバにおいて受信されると，受信された種類データにもとづいて携帯型電子装置の表示装置の表示画面への表示に適した入力用画像が検出される。検出された入力用画像を表す入力用画像データが画像サーバから携帯型電子装置に送信される。
【００１０】
携帯型電子装置には，携帯型電子装置に設けられている入力装置に適した入力用画像が表示されることとなる。カーソルを上下左右などに動かす指令を与える入力装置などしか備えられていない場合であっても，その入力装置を用いて比較的簡単に指令を与えることができるようになる。
【００１１】
上記検出手段によって検出された入力用画像を表す入力用画像データを生成する入力用画像データ生成手段をさらに備えるようにしてもよい。この場合，上記入力用画像データ送信手段は，上記入力用画像データ生成手段によって生成された入力用画像データを上記携帯型電子装置に送信するものとなろう。あらかじめ入力用画像データが生成されずに，携帯型電子装置から種類データが送信されたことに応じて入力用画像データが生成されるので，入力用画像データを記憶しておくためのメモリが画像サーバに不要になる，あるいはメモリ容量が少なくて済む。
【００１２】
また，上記画像サーバは，上記携帯型電子装置の入力装置の種類に応じた複数の入力用画像を表す入力用画像データを記憶する入力用画像データ記憶装置，および上記入力用画像データ記憶装置に記憶されている入力用画像データのうち，上記検出手段によって検出された入力用画像に対応する入力用画像データを見つける検索手段をさらに備えるものでもよい。この場合，上記入力用画像データ送信手段は，上記検索手段によって見つけられた入力用画像データを上記携帯型電子装置に送信するものとなろう。入力用画像データがあらかじめ記憶されているので迅速に，表示に適した入力用画像データが携帯型電子装置に送信されるようになる。
【実施例】
【００１３】
図１は，この発明の実施例を示すもので，画像データ通信システムの概要を示している。
【００１４】
画像データ通信システムは，プリンタ（画像サーバ）60と，このプリンタ60と通信（無線通信でも有線通信でもよい）可能な携帯型電子装置とから構成される。携帯型端末装置の例として図１においては，ディジタル・スチル・カメラ１とカメラ付き携帯電話20とが示されているが，他の装置でもよいのはいうまでもない。
【００１５】
この実施例においては，ディジタル・スチル・カメラ１またはカメラ付き携帯電話20からそれぞれの入力ディバイスの種類および表示ディバイスの種類（少なくとも入力ディバイスの種類）を表す種類データがプリンタ60に送信される。種類データによって表される入力ディバイスおよび表示ディバイスに適した入力用画像を表す入力用画像データがプリンタ60からディジタル・スチル・カメラ１またはカメラ付き携帯電話20に送信される。ディジタル・スチル・カメラ１またはカメラ付き携帯電話20の表示画面に入力用画像データ（メニュー・コンテンツ）によって表される入力用画像（メニュー）が表示され，表示された入力用画像を見ながらそれぞれの入力ディバイスを用いて後述するように印刷指令などの指令がディジタル・スチル・カメラ１またはカメラ付き携帯電話20に与えられ，プリンタ60に与えられる。この指令に応答してプリンタ60において画像がプリントされる。より詳しくは以下の説明によって明らかとなろう。
【００１６】
図２は，ディジタル・スチル・カメラ１の背面図である。
【００１７】
ディジタル・スチル・カメラ１には，ほぼ直方体の本体部２と本体部２の上面に形成されているほぼ台形の形状を有する付属部３とが含まれている。付属部３の背面には接眼用ファインダ４が形成されている。接眼用ファインダ４は液晶表示装置によって構成されている。本体部２の上面において背面から見て付属部４の右側にはシャッタ・レリーズ・ボタン５が設けられている。
【００１８】
本体部２の背面には，そのほぼ全体に液晶ビューワ６が形成されている。液晶ビューワ６の右上には上下の矢印が押下可能に形成されている上下ボタン７が設けられている。この上下ボタン７の右側には回転自在であり，モード（撮像モード，再生モードなど）を設定するモード設定ダイアル８が設けられている。さらに，モード設定ダイアル８の下には，ＯＫボタン９およびキャンセル・ボタン10が設けられている。
【００１９】
このように，ディジタル・スチル・カメラ１には，液晶ビューワ６に表示される入力用画像を見ながら指令を与えるための入力ディバイスとしては，上下ボタン７，ＯＫボタン９およびキャンセル・ボタン10が備えられているものとなる。
【００２０】
図３は，ディジタル・スチル・カメラ１の電気的構成を示すブロック図である。
【００２１】
ディジタル・スチル・カメラ１の全体の動作は，ＣＰＵ13によって統括される。
【００２２】
上述したように，ディジタル・スチル・カメラ１からプリンタ60に入力ディバイスの種類および表示ディバイスの種類を表すデータが送信される。このために，ディジタル・スチル・カメラ１には，種類データを記憶するための入力／表示ディバイス種類データ・メモリ15が含まれている。
【００２３】
ディジタル・スチル・カメラ１には，上述したように，上下ボタン７の他にシャッタ・レリーズ・ボタン，ＯＫボタン，キャンセル・ボタン，モード設定ダイアル，符号入力ダイアルなどのボタン／ダイアル類19が含まれている。このボタン／ダイアル類19から出力される各種信号は，ＣＰＵ13に入力する。
【００２４】
モード設定ダイアルによって撮像モードが設定されると，ＣＣＤなどの撮像素子11によって被写体が撮像され，被写体像を表す映像信号が信号処理回路12に入力する。信号処理回路12において白バランス調整，アナログ／ディジタル変換処理などの所定の信号処理が行われ，被写体像を表すディジタル画像データが出力される。ディジタル画像データは，接眼用ファインダ４および液晶ビューワ６に与えられる。被写体像が接眼用ファインダ４および液晶ビューワ６のそれぞれの表示画面に表示される。
【００２５】
シャッタ・レリーズ・ボタン５が押されると，撮像により得られたディジタル画像データはメモリ14に与えられ一時的に記憶される。ディジタル画像データは，メモリ14から読み出され，メモリ・カード・インターフェイス16を介してメモリ・カード17に与えられ，記録される。必要に応じて画像データのデータ圧縮処理が行われ，データ圧縮された画像データがメモリ・カード17に記録されるのはいうまでもない。
【００２６】
再生モードが設定されると，メモリ・カード17に記録されている画像データがメモリ・カード・インターフェイス16を介して読み取られる。読み取られたディジタル画像データが接眼用ファインダ４および液晶ビューワ６に与えられる。メモリ・カード17に記録されている画像データによって表される画像が接眼用ファインダ４および液晶ビューワ６のそれぞれの表示画面に表示されるようになる。必要に応じてデータ伸長処理が行われるのはいうまでもない。
【００２７】
プリント・モードが設定されると，入力／表示ディバイス種類データ・メモリ15に記憶されている種類データが読み取られ，読み取られた種類データが無線ＬＡＮ（Local Area Network）インターフェイス18によってプリンタ60に送信される。すると，ディジタル・スチル・カメラ１の入力ディバイスに適した入力用画像データがプリンタ60からディジタル・スチル・カメラ１に送信される。ディジタル・スチル・カメラ１の液晶ビューワ６の画面上に入力ディバイスから指令が与えられるのに適した入力用画像が表示される。
【００２８】
図４は，カメラ付き携帯電話20の外観を前面から見たものである。ディジタル・カメラは，携帯電話20の後面に設けられているために，図４においては図示されない。
【００２９】
携帯電話20の上部には，ネットワークを介して他の携帯電話，プリンタ60，サーバなどとデータ通信（通話）するためのアンテナ21が形成されている。
【００３０】
携帯電話20の前面の上部には，音声を出力するためのスピーカ22が設けられている。
【００３１】
スピーカ22の下には，液晶表示画面23が形成されている。この液晶表示画面23には，プリンタ60から送信された入力用画像データによって表される入力用画像，携帯電話20の電池の残容量，携帯電話20の電波の受信状態などが表示される。
【００３２】
液晶表示画面23の下には，記憶されている電話番号を表示画面43に一覧表示するときにユーザによって押される電話帳ボタン25，設定指令を与えるときにユーザによって押される設定ボタン26およびメニューを液晶表示画面23に表示するときにユーザによって押されるメニュー・ボタン27が設けられている。
【００３３】
これらのボタン25，26および27の下には，上下左右ボタン28が配置されている。上下左右ボタン28上には，上矢印，下矢印，左矢印および右矢印が形成されている。これらの矢印上を押すことができる。これらの矢印上を押すことにより，どの矢印が押されたかを示す信号が入力される。また上下左右ボタン54の中央を押すことも可能である。この中央が押されたことにより確定指令が入力される（確定ボタン24）。
【００３４】
上下左右ボタン28の下には，発呼ボタン29，クリア・ボタン30および切断ボタン31が形成されている。これらのボタン29，30および31の下にテン・キー32が形成されている。
【００３５】
携帯電話20の前面の下側には，音声を入力するためのマイクロフォン33が形成されている。
【００３６】
このように，カメラ付き携帯電話20には，入力用画像を見ながら指令を与えるための入力ディバイスとしては，確定ボタン24，設定ボタン26，メニュー・ボタン27，上下左右ボタン28，クリア・ボタン30およびテン・キーパッド32が設けられている。
【００３７】
図５は，カメラ付き携帯電話20の電気的構成を示すブロック図である。
【００３８】
カメラ付き携帯電話20の全体の動作は，ＣＰＵ43によって統括される。
【００３９】
上述したように，カメラ付き携帯電話20においてもカメラ付き携帯電話20からプリンタ60に入力ディバイスの種類および表示ディバイスの種類を表すデータが送信される。このために，カメラ付き携帯電話20にも，種類データを記憶するための入力／表示ディバイス種類データ・メモリ45が含まれている。
【００４０】
カメラ付き携帯電話20には，上述したように，テン・キーパッド32の他に電話帳ボタン25，設定ボタン26などのキーパッド51が含まれている。このキーパッド32から出力される各種信号はＣＰＵ43に入力する。
【００４１】
メニュー・ボタン27が押されると，メニュー画像が液晶表示画面23上に表示される。メニュー画像を利用して各種モードが設定可能となる。
【００４２】
通話モードが設定されると，マイクロフォン33から入力した音声がアナログ音声信号に変換され，音声通話モジュール49に与えられる。音声通話モジュール49においてアナログ音声信号からディジタル音声データへの変換など所定の音声通話処理が行われる。音声通話モジュール49から出力された音声データ無線ＬＡＮインターフェイス46を介して他の携帯電話等に送信される。
【００４３】
他の携帯電話等から送信されたディジタル音声データは，無線ＬＡＮインターフェイス46を介してカメラ付き携帯電話20に入力する。ディジタル音声データは音声通話モジュール49においてアナログ音声信号に変換され，スピーカ22に与えられる。スピーカ22から音声が出力される。
【００４４】
撮像モードが設定されると，ＣＣＤなどの撮像素子41によって被写体が撮像され，被写体像を表す映像信号が信号処理回路42に入力する。信号処理回路42において白バランス調整，アナログ／ディジタル変換処理などの所定の信号処理が行われ，被写体像を表すディジタル画像データが出力される。ディジタル画像データは，液晶表示装置23（液晶表示装置も液晶表示画面23と同じ符号を用いる）に与えられる。液晶表示画面23に被写体像が表示される。
【００４５】
確定ボタン24が押されると（撮像モードにおいては確定ボタン24がシャッタ・レリーズ・ボタンの役割を行うこととなる），撮像により得られたディジタル画像データはメモリ44に与えられ一時的に記憶される。ディジタル画像データは，メモリ44から読み出され，メモリ・カード・インターフェイス47を介してメモリ・カード48に与えられ，記録される。必要に応じて画像データのデータ圧縮処理が行われ，データ圧縮された画像データがメモリ・カード48に記録されるのはいうまでもない。
【００４６】
プリント・モードが設定されると，入力／表示ディバイス種類データ・メモリ45に記憶されている種類データが読み取られ，電話無線通信モジュール50においてデータ圧縮などの必要な通信処理が行われる。電話無線通信モジュール50から出力された種類データが無線ＬＡＮインターフェイス46からプリンタ60に送信される。すると，カメラ付き携帯電話20の入力ディバイスに適した入力用画像データがプリンタ60からカメラ付き携帯電話20に送信される。カメラ付き携帯電話20の表示画面23上に入力ディバイスから指令が与えられるのに適した入力用画像が表示される。
【００４７】
図６は，プリンタ60の電気的構成を示すブロック図である。
【００４８】
プリンタ60の全体の動作は，ＣＰＵ61によって統括される。
【００４９】
プリンタ60には，上述したように，ディジタル・スチル・カメラ１，カメラ付き携帯電話20などの携帯型電子装置から送信される種類データからそれぞれの携帯型電子装置の入力ディバイスおよび表示ディバイスを検出するための入力／表示ディバイス検出回路65が含まれている。また，検出された入力ディバイスおよび表示ディバイスに適した入力用画像を生成するための画像データが入力ディバイスおよび表示ディバイスごとにＲＯＭ67にあらかじめ記憶されている。
【００５０】
また，プリンタ60には，ディジタル・スチル・カメラ１，カメラ付き携帯電話20などの携帯型電子装置から送信される種類データ等の受信，入力用画像データ等の送信のための無線ＬＡＮインターフェイス66が含まれている。さらに，プリンタ60には，表示制御回路64によって表示が制御される液晶表示装置63が含まれている。
【００５１】
携帯型電子装置から画像データが送信されると，その画像データがプリンタ60において受信され，メモリ62に一時的に記憶される。メモリ62からその画像データが読み出され，プリント・エンジン68に与えられる。プリント・エンジン68によって，受信した画像データによって表される画像がプリントされる。
【００５２】
図７は，プリンタ60のＲＯＭ67に記憶されているメニュー・コンテンツ（入力用画像を生成するための画像データ）の一例である。
【００５３】
上述したように，プリンタ60のＲＯＭ67には，プリンタ60と通信する携帯型電子装置に含まれる入力ディバイスに上下キー（ボタン）がある場合のメニュー・コンテンツＩ１，入力ディバイスに上下左右キーがある場合のメニュー・コンテンツＩ２，入力ディバイスにテン・キーパッドがある場合のメニュー・コンテンツＩ３など入力ディバイスごとに適したメニュー・コンテンツがあらかじめ記憶されている。
【００５４】
たとえば，プリンタ60と通信する携帯型電子装置の入力ディバイスに上下キーが含まれている場合にはメニュー・コンテンツＩ１が選択され，入力ディバイスに上下左右キーが含まれている場合にはメニュー・コンテンツＩ２が選択され，入力ディバイスにテン・キーパッドが含まれている場合にはメニュー・コンテンツＩ３が選択される。テン・キーパッドと上下左右ボタンとの両方の入力ディバイスをもつ携帯型電子装置などの場合には，いずれかのメニュー・コンテンツ（たとえば，テン・キーパッドのメニュー・コンテンツＩ３）が選択されるように優先順位があらかじめ定められているのはいうまでもない。
【００５５】
図８は，ディジタル・スチル・カメラ１とプリンタ60との間の通信処理手順を示すフローチャートである。図９は，ディジタル・スチル・カメラ１の液晶ビューワ６に表示されるメニュー画像が変遷する様子を示している。
【００５６】
ディジタル・スチル・カメラ１にはテン・キーパッドが含まれていず，上下ボタン７が含まれているから，入力ディバイスに上下ボタンを有する携帯型電子装置に適したメニュー・コンテンツがプリンタ60からディジタル・スチル・カメラ１に送信される。
【００５７】
ディジタル・スチル・カメラ１が通信モードに設定されると，ディジタル・スチル・カメラ１からプリンタ60に入力ディバイスの種類（上下キーが含まれていること）を示す種類データが送信される。
【００５８】
ディジタル・スチル・カメラ１から送信された種類データがプリンタ60において受信されると，その種類データからディジタル・スチル・カメラ１の入力ディバイスとしてどのようなものが含まれているかを検出する処理が行われる。この処理により，ディジタル・スチル・カメラ１に入力ディバイスとして上下キーが含まれていることがプリンタ60において検出される。すると，プリンタ60のＲＯＭ67に上下キーに適したメニュー・コンテンツが記憶されているかどうかが確認される。記憶されている場合には，上下キーに適したメニュー・コンテンツがプリンタ60に記憶されていることを示すＯＫデータがプリンタ60からディジタル・スチル・カメラ１に送信される。記憶されていない場合には，上下キーに適したメニュー・コンテンツがプリンタ60に記憶されていないことを示すＮＧデータがプリンタ60からディジタル・スチル・カメラ１に送信される。
【００５９】
プリンタ60からＯＫデータが送信され，そのＯＫデータがディジタル・スチル・カメラ１において受信されると，ディジタル・スチル・カメラ１からプリンタ60にトップ・メニューの取得コマンドが送信される。
【００６０】
トップ・メニューの取得コマンドがプリンタ60において受信されると，上下キーに適したメニュー・コンテンツＩ１の中からトップ・メニュー・コンテンツが読み取られる。読み取られたトップ・メニュー・コンテンツがプリンタ60からディジタル・スチル・カメラ１に送信される。
【００６１】
図９を参照して，プリンタ60から送信されたトップ・メニュー・コンテンツがディジタル・スチル・カメラ１において受信されると，ディジタル・スチル・カメラ１の液晶ビューワ６にはトップ・メニュー画像６Ａが表示される。
【００６２】
トップ・メニュー画像６Ａには，標準プリント領域71，２×２プリント領域72および４×４プリント領域73が含まれている。これらの領域71，72および73は，縦方向に一列に並んでいる。標準プリント領域71は，標準的な大きさのプリント用紙に画像をプリントするときに選択されるものである。２×２プリント領域72は，２×２のプリント用紙に画像をプリントするときに選択されるものである。４×４プリント領域73は，４×４のプリント用紙に画像をプリントするときに選択されるものである。領域71，72または73のいずれかの領域が選択されている様子を示すように他の領域と色が変わり（ハッチングで示されている），上下ボタン７の上矢印の押下に応じて，色が変わっている領域の上の領域（一番上の領域の色が変わっている場合には一番下の領域）が選択されているように色が変わる。同様に上下ボタン７の下矢印の押下に応じて音色が変わっている領域の下の領域（一番下の領域の色が変わっている場合には一番上の領域）が選択されているように色が変わる。ＯＫボタン９が押されると，選択されている領域によって特定される大きさが確定する。トップ・メニュー画像６Ａを構成する各領域71，72および73は，縦一列に並んでいるので，上下ボタンを用いた選択が比較的容易となる。
【００６３】
図８に戻って，標準プリントが選択され，かつＯＫボタン９が押されると，標準プリントが選択されたことを示すデータがディジタル・スチル・カメラ１からプリンタ60に送信される。
【００６４】
ディジタル・スチル・カメラ１から送信された標準プリント選択データがプリンタ60において受信されると，標準プリントが選択されたことがプリンタ60において記憶される。また，プリンタ60において上下キーに適したメニュー・コンテンツＩ１のうちの枚数選択メニュー・コンテンツがＲＯＭ67から読み出される。読み出された枚数選択メニュー・コンテンツがプリンタ60からディジタル・スチル・カメラ１に送信される。
【００６５】
プリンタ60から送信された枚数選択メニュー・コンテンツがディジタル・スチル・カメラ１において受信されると，図９に示すようにディジタル・スチル・カメラ１の液晶ビューワ６には枚数選択メニュー画像６Ｂが表示される。
【００６６】
枚数選択メニュー画像６Ｂには，１枚プリント領域74，２枚プリント領域75および３枚プリント領域76が縦一列に並んでいる。選択メニュー画像６Ｂにおいても選択されている領域がハッチングで示されている。１枚プリント領域74は，画像を１枚プリントするときに選択される領域である。２枚プリント領域75は画像を２枚プリントするときに選択される領域である。３枚プリント領域76は画像を３枚プリントするときに選択される領域である。トップ・メニューと同様に，上下ボタン７の押下に応じて領域74，75または76が選択される。ＯＫボタン９が押されると，押されたときに選択されていた領域によって特定されるプリント枚数を表すデータがディジタル・スチル・カメラ１からプリンタ60に送信される。
【００６７】
図８に戻って，１枚のプリント枚数が選択され，かつＯＫボタン９が押されると，プリント枚数が１枚であることを示すデータがディジタル・スチル・カメラ１からプリンタ60に送信される。
【００６８】
ディジタル・スチル・カメラ１から送信されたプリント枚数データがプリンタ60において受信されると，選択されたプリント枚数（１枚）がプリンタ60において記憶される。また，上下キーのコンテンツＩ１の中から確認メニュー・コンテンツが読み取られ，プリンタ60からディジタル・スチル・カメラ１に送信される。
【００６９】
プリンタ60から送信された確認メニュー・コンテンツがディジタル・スチル・カメラ１において受信されると，図９に示すようにディジタル・スチル・カメラ１の液晶ビューワ６には確認メニュー画像６Ｃが表示される。
【００７０】
確認メニュー画像６Ｃには，その上部に，ユーザによって指定されたプリント内容（標準プリントであり，プリント枚数が１枚である旨）ならびにＯＫ領域77およびキャンセル領域78が含まれている。ＯＫ領域77とキャンセル領域78とは上下に並んでいる。ＯＫボタン９が押されると，ＯＫボタン９が押されたことを示すデータがディジタル・スチル・カメラ１からプリンタ60に送信される。キャンセル・ボタン10が押されると，キャンセル・ボタン10が押されたことを示すデータがディジタル・スチル・カメラ１からプリンタ60に送信される。
【００７１】
図８に戻って，ＯＫボタンが押されると，上述したようにＯＫボタン９が押されたことを示すＯＫデータがディジタル・スチル・カメラ１からプリンタ60に送信される。
【００７２】
ディジタル・スチル・カメラ１から送信されたＯＫデータがプリンタ60において受信されると，上下キーのコンテンツＩ１の中から受付完了メニュー・コンテンツが見つけられる。見つけられた受付完了メニュー・コンテンツがプリンタ60からディジタル・スチル・カメラ１に送信される。
【００７３】
受付完了メニュー・コンテンツがディジタル・スチル・カメラ１において受信されると，図９に示すように，ディジタル・スチル・カメラ１の液晶ビューワ６にはプリント受付完了メニュー６Ｄが表示される。
【００７４】
プリンタ60においては，ディジタル・スチル・カメラ１のユーザによって設定されたプリント内容（標準プリントでプリント枚数が１枚）で画像の印刷が開始される。印刷されるべき画像はあらかじめディジタル・スチル・カメラ１のユーザによって選択され，かつその画像を表す画像データがプリンタ60に送信されているのはいうまでもない。
【００７５】
上述した実施例においては，プリンタ60と上下ボタン７が設けられているディジタル・スチル・カメラ１とが通信する場合のものであったが，上述したようにプリンタ60とカメラ付き携帯電話20とが通信することもできる。
【００７６】
図10はプリンタ60と通信するカメラ付き携帯電話20の表示画面23に表示されるメニュー・コンテンツの変遷の様子を示している。
【００７７】
上述したように，ディジタル・スチル・カメラ１には上下ボタン７が設けられておりテン・キーパッドは設けられていないが，カメラ付き携帯電話20にはテン・キーパッドが設けられている。このために，テン・キーパッドを利用した入力に適したメニュー・コンテンツがカメラ付き携帯電話20の表示画面23に表示されることとなる。
【００７８】
上述したのと同様に，カメラ付き携帯電話20からプリンタ60に入力ディバイスの種類（テン・キーパッド32が含まれていること）を表すデータが送信されると，プリンタ60においてテン・キーパッドのメニュー・コンテンツＩ３が記憶されているかどうかが確認される。カメラ付き携帯電話20から送信される印刷メニューの取得コマンドがプリンタ60において受信されることに応じて，テン・キーパッドのメニュー・コンテンツＩ３の中から印刷トップ・メニュー・コンテンツが見つけだされる。見つけられた印刷トップ・メニュー・コンテンツがプリンタ60からカメラ付き携帯電話20に送信される。すると，カメラ付き携帯電話20の表示画面23に印刷トップ・メニュー23Ａが表示される。
【００７９】
印刷トップ・メニュー23Ａには，算用数字１，２および３に対応してそれぞれプリントの大きさを指定する「標準プリント」，「２×２プリント」および「４×４プリント」の文字が表示されている。「標準プリント」が指定される場合には，カメラ付き携帯電話20のテン・キーパッド32の中から「１」のキーパッドが押される。同様に，「２×２プリント」が指定される場合には「２」のキーパッドが押され，「４×４プリント」が指定される場合には「３」のキーパッドが押される。押されたキーパッドを表すデータがカメラ付き携帯電話20からプリンタ60に送信される。
【００８０】
「２」のキーパッドが押されると，印刷する大きさとして２×２プリントが選択されたこととなり，その２×２プリントを示すデータがカメラ付き携帯電話20からディジタル・スチル・カメラ１に送信される。すると，プリンタ60からカメラ付き携帯電話20にテン・キーパッドのコンテンツＩ３の中から枚数選択メニュー・コンテンツが見つけられ，カメラ付き携帯電話20に送信される。すると，カメラ付き携帯電話20の表示画面23に枚数選択メニュー23Ｂが表示される。
【００８１】
枚数選択メニュー23Ｂには，算用数字１，２および３に対応してそれぞれプリント枚数を指定する「１枚」，「２枚」および「３枚」の文字が表示されている。プリント枚数として「１枚」が指定される場合には，「１」のキーパッドが押され，「２枚」が指定される場合には「２」のキーパッドが押され，「３枚」が指定される場合には「３」のキーパッドが押される。
【００８２】
「２」のキーパッドが押されると，印刷枚数として２枚が選択されたこととなり，その枚数を示すデータがカメラ付き携帯電話20からディジタル・スチル・カメラ１に送信される。すると，プリンタ60からカメラ付き携帯電話20にテン・キーパッドのコンテンツＩ３の中から確認メニュー・コンテンツが見つけられ，カメラ付き携帯電話20に送信される。すると，カメラ付き携帯電話20の表示画面23に確認メニュー23Ｃが表示される。
【００８３】
確認メニュー23Ｃには，ユーザによって指定されたプリント内容（２×２プリントであり，プリント枚数が２枚である旨）ならびに算用数字１および２に対応して「ＯＫ」の文字および「キャンセル」の文字が含まれている。上述したのと同様に，「１」のキーパッドが押されると，ＯＫの指令を受け付けた旨のデータがカメラ付き携帯電話20からプリンタ60に送信される。「２」のキーパッドが押されると，キャンセルの指令を受け付けた旨のデータがカメラ付き携帯電話20からプリンタ60に送信される。
【００８４】
ＯＫデータがカメラ付き携帯電話20からプリンタ60に送信されると，テン・キーパッドのコンテンツＩ３の中から受付完了メニュー・コンテンツが読み取られる。読み取られた受付完了メニュー・コンテンツがプリンタ60からカメラ付き携帯電話20に送信される。すると，カメラ付き携帯電話20の表示画面23に受付完了メニュー23Ｄが表示される。カメラ付き携帯電話20のユーザは，プリンタ60において，プリントの受付が行われたことが分かる。その後，プリンタ60において，カメラ付き携帯電話20のユーザからの指示にしたがってプリントが行われる。
【００８５】
図11から図14は，変形例を示すものである。
【００８６】
上述した実施例においては，プリンタ60には入力ディバイスに応じたメニュー・コンテンツが記憶されているが，以下に示すものはメニュー・コンテンツを生成する情報をプリンタ60に記憶しておき，入力ディバイスに応じたメニュー・コンテンツを生成するものである。
【００８７】
図11は，プリンタ60のＲＯＭ67に記憶されているメニュー・コンテンツ生成情報を示すテーブルの一例である。
【００８８】
メニュー・コンテンツ生成情報には，ページ番号，ボタン名，ボタン画像，機能，ボタン画像，キーパッド・アサインなどがある。
【００８９】
ページ番号は，同一画像内に含まれるメニュー内容を規定するものである。同じページ番号をもつものが一つのメニューを構成する。ボタン名は，ボタン画像を識別するものである。ボタン画像は，メニューに表示される領域の画像である。機能は，ボタン画像によって示される機能である。ボタン画像サイズは，ボタン画像の縦方向および横方向のそれぞれの大きさを示している。キーボード・アサインは，ボタン画像によって示される機能をキーパッドを用いて指定する場合に割り当てられるキーパッドの符号を示している。    
【００９０】
図12（Ａ）および（Ｂ）は，メニューの背景画像の一例である。
【００９１】
メニューの背景画像を表す画像データもプリンタ60のＲＯＭ67に記憶されている。これらの背景画像がメニューの背景となる。どの背景画像をメニューに使用するかはあらかじめ設定されている。
【００９２】
図13は，プリンタ60においてメニュー・コンテンツを生成する場合のカメラ付き携帯電話20とプリンタ60との処理手順を示すフローチャートである。図14は，カメラ付き携帯電話20の表示画面23に表示されるメニュー・コンテンツの一例である。
【００９３】
カメラ付き携帯電話20の入力ディバイスの種類（テン・キーパッド）を表す種類データがカメラ付き携帯電話20からプリンタ60に送信される。種類データがプリンタ60において受信されると，プリンタ60からカメラ付き携帯電話20に種類データを受信したことを示すＯＫデータが送信される。
【００９４】
プリンタ60から送信されたＯＫデータがカメラ付き携帯電話20において受信されると，カメラ付き携帯電話20の表示サイズ（横240画素縦120画素）を示す表示サイズ・データがカメラ付き携帯電話20からプリンタ60に送信される。表示サイズ・データがプリンタ60において受信されると，プリンタ60からカメラ付き携帯電話20に表示サイズ・データが受信したことを示すＯＫデータが送信される。
【００９５】
カメラ付き携帯電話20においてＯＫデータが受信されると，印刷メニューの取得コマンドがカメラ付き携帯電話20からプリンタ60に送信される。印刷メニューの取得コマンドがプリンタ60において受信されると，カメラ付き携帯電話20の入力ディバイスの種類，表示サイズおよびボタン画像サイズを用いてトップ・メニューが生成される。具体的には，表示サイズの横方向に含めることができるボタン画像の数（列数）がまず計算される。表示サイズの横方向の画素数は240画素，ボタン画像の横方向の画素数は100画素であるから，カメラ付き携帯電話20の表示画面にはボタン画像を２列に並べることができる（240÷100＝２あまり40）。ボタン画像が２列に並べられたトップ・メニュー・コンテンツが生成される。生成されたトップ・メニュー・がプリンタ60からカメラ付き携帯電話20に送信される。すると，カメラ付き携帯電話20の表示画面23に，図14に示すように，プリンタ60において生成されたトップ・メニュー（トップ・メニュー・コンテンツ）23Ｅが表示される。
【００９６】
トップ・メニュー23Ｅには，インデクス・プリントの機能を表すボタン画像Ｂ１，マルチ・プリントの機能をもつボタン画像Ｂ２および標準プリントの機能を表すボタン画像Ｂ３が含まれている。ボタン画像Ｂ１とボタン画像Ｂ２とは２列に並んでおり，ボタン画像Ｂ１とボタン画像Ｂ３とは２行に並んでいる。ボタン画像Ｂ１，Ｂ２およびＢ３のそれぞれの下には，割り当てられているキーパッド・アサインの文字（Ｉ），（Ｍ）および（Ｓ）が表示されている。カメラ付き携帯電話20のキーパッド32を利用して文字（Ｉ），（Ｍ）および（Ｓ）が入力されることにより，インデクス・プリント，マルチ・プリント，標準プリントのそれぞれの指令がカメラ付き携帯電話20に与えられる。
【００９７】
カメラ付き携帯電話20のキーパッド32を利用してキーパッド・アサインの文字（Ｓ）が入力されると，標準プリントの選択を示すデータがカメラ付き携帯電話20からプリンタ60に送信される。すると，プリンタ60において枚数選択メニュー・コンテンツが生成される。この枚数選択メニュー・コンテンツは，上述したトップ・メニュー・コンテンツと同様にして生成される。生成された枚数選択メニュー・コンテンツがプリンタ60からカメラ付き携帯電話20に送信される。枚数選択メニュー・コンテンツがカメラ付き携帯電話20において受信されると，図14に示すように表示画面23に枚数選択メニュー23が表示される。
【００９８】
枚数選択メニュー23Ｆには，プリント枚数として１枚を指定することを表すボタン画像Ｂ４，２枚を指定することを表すボタン画像Ｂ５および３枚を指定することを表すボタン画像Ｂ６が含まれている。ボタン画像Ｂ４とボタン画像Ｂ５とは２列に並んでおり，ボタン画像Ｂ４とボタン画像Ｂ６とは２行に並んでいる。ボタン画像Ｂ４，Ｂ５およびＢ６のそれぞれの下には，割り当てられているキーパッド・アサインの文字（１），（２）および（３）が表示されている。カメラ付き携帯電話20のキーパッド32を利用して文字（１），（２）および（３）が入力されることにより，プリント枚数として１枚，２枚および３枚のそれぞれの指令がカメラ付き携帯電話20に与えられる。
【００９９】
カメラ付き携帯電話20のキーパッド32を利用してキーパッド・アサインの文字（２）が入力されると，プリント枚数として２枚を示すデータがカメラ付き携帯電話20からプリンタ60に送信される。すると，以下同様にしてプリンタ60において確認メニュー・コンテンツが生成され，生成された確認メニュー・コンテンツがカメラ付き携帯電話20に送信される。すると，図14に示すように，カメラ付き携帯電話20の表示画面23には，確認メニュー23Ｇが表示される。
【０１００】
確認メニュー23Ｇには，標準プリントの大きさでプリントが行われることおよびプリント枚数が２枚であることの表示のほかにＯＫボタンＢ７およびキャンセル・ボタンＢ８が２列で表示される。また，ＯＫボタンＢ７およびキャンセル・ボタンＢ８のそれぞれの下には，キーパッド・アサインの文字（Ｏ）および（Ｎ）が表示される。キーパッド32を用いて（Ｏ）の文字が入力されることにより，ＯＫ指令がカメラ付き携帯電話20に与えられ，（Ｎ）の文字が入力されることにより，キャンセル指令がカメラ付き携帯電話20に与えられる。キーパッド32から（Ｏ）の文字が入力されると，プリンタ60において受付完了メニュー・コンテンツが生成され（受付メニュー・コンテンツはボタン画像が含まれていないためにあらかじめ生成されていてもよい），その生成された受付メニュー・コンテンツがプリンタ60からカメラ付き携帯電話20に送信される。カメラ付き携帯電話20の表示画面23に受付完了メニュー23Ｈが表示される。
【０１０１】
上述の実施例においては，カメラ付き携帯電話20とプリンタ60とが通信する場合においてメニュー・コンテンツをプリンタ60において生成する場合であったが，カメラ付き携帯電話20でなく，ディジタル・スチル・カメラなどその他の電子装置であっても，その電子装置に設けられている入力ディバイスおよび表示装置に応じてメニュー・コンテンツを生成することができる。
【図面の簡単な説明】
【０１０２】
【図１】画像データ通信システムの概要を示している。
【図２】ディジタル・スチル・カメラの背面図である。
【図３】ディジタル・スチル・カメラの電気的構成を示すブロック図である。
【図４】カメラ付き携帯電話の外観を示している。
【図５】カメラ付き携帯電話の電気的構成を示すブロック図である。
【図６】プリンタの電気的構成を示すブロック図である。
【図７】プリンタに記憶されているメニュー・コンテンツを示している。
【図８】ディジタル・スチル・カメラとプリントとの通信処理手順を示すフローチャートである。
【図９】ディジタル・スチル・カメラに表示されるメニュー・コンテンツの変遷を示している。
【図１０】カメラ付き携帯電話に表示されるメニュー・コンテンツの変遷を示している。
【図１１】メニュー・コンテンツ情報を示すテーブルである。
【図１２】（Ａ）および（Ｂ）は，背景画像の一例である。
【図１３】カメラ付き携帯電話とプリンタとの通信処理手順を示すフローチャートである。
【図１４】カメラ付き携帯電話に表示されるメニュー・コンテンツの変遷を示している。
【符号の説明】
【０１０３】
１  ディジタル・スチル・カメラ（携帯型電子装置）
６  液晶ビューワ（表示装置）
６Ａ〜６Ｄ，23Ａ〜23Ｈ  メニュー（入力用画像）
７  上下ボタン（入力装置）
13，43，61  ＣＰＵ
15，45  入力／表示ディバイス種類データ・メモリ
18，43，66  無線ＬＡＮインターフェイス
20  カメラ付き携帯電話（携帯型電子装置）
23  液晶表示画面（表示装置）
32  テン・キーパッド（入力装置）
60  プリンタ（画像サーバ）
65  入力／表示ディバイス検出回路（検出手段）
66  ＲＯＭ（入力用画像データ記憶装置）
Ｉ１  上下キー・コンテンツ
Ｉ２  上下左右キー・コンテンツ
Ｉ３  テン・キーパッド・コンテンツ
【図１】
2005316625.tif 000003
【図２】
2005316625.tif 000004
【図３】
2005316625.tif 000005
【図４】
2005316625.tif 000006
【図５】
2005316625.tif 000007
【図６】
2005316625.tif 000008
【図７】
2005316625.tif 000009
【図８】
2005316625.tif 000010
【図９】
2005316625.tif 000011
【図１０】
2005316625.tif 000012
【図１１】
2005316625.tif 000013
【図１２】
2005316625.tif 000014
【図１３】
2005316625.tif 000015
【図１４】
2005316625.tif 000016